(57)【特許請求の範囲】
【請求項１】
内容物を収納する容器本体の口部に着脱可能に装着されるキャップであって、
前記口部に嵌合する筒状の内筒部と、
前記内筒部の底部に設けられた底壁部と、
前記底壁部から上方に突出し、前記内容物の注出を案内する案内面を有する樋状のノズルとを備え、
前記底壁部は、前記ノズル内の前記案内面に囲まれた空間に開口する孔部と、
前記ノズルとは逆方向に突出し前記案内面の少なくとも一部と面一の第２案内面を有する案内壁部とを有し、
前記案内壁部は、前記孔部の外形に沿って、且つ前記孔部の全周を取り囲むリブ状に突出し、
前記案内壁部の前記第２案内面の平面視形状は、前記ノズルの前記案内面の平面視形状を全て含むことを特徴とするキャップ。
【請求項２】
前記案内壁部は、前記口部の周方向における注出側に切欠部を有することを特徴とする請求項１記載のキャップ。
【請求項３】
前記案内壁部の前記逆方向側の端部は、前記内筒部の軸方向と直交する面と平行であることを特徴とする請求項１または請求項２記載のキャップ。
【請求項４】
前記底壁部の上面には、最下部が前記孔部に接続する傾斜部が設けられていることを特徴とする請求項１から３のいずれか一項に記載のキャップ。
【請求項５】
前記内筒部は、前記口部と嵌合する嵌合部と、前記嵌合部よりも下方に位置し前記口部と隙間をあけて設けられた離間部とを有し、
前記離間部には、前記内筒部を貫通する貫通孔が形成されていることを特徴とする請求項１から４のいずれか一項に記載のキャップ。
【請求項６】
前記案内面および前記第２案内面には、前記ノズルの先端から前記案内壁部の先端に亘って延びる凸条が形成されていることを特徴とする請求項１から５のいずれか一項に記載のキャップ。
【請求項７】
前記凸条は、前記ノズルの幅方向の中心を挟んだ両側にそれぞれ形成されていることを特徴とする請求項６記載のキャップ。
【発明の詳細な説明】
【技術分野】
【０００１】
本発明は、キャップに関するものである。
【背景技術】
【０００２】
一般に、液体洗剤、液体漂白剤、液体柔軟剤、溶剤等の液状物や、粒状洗剤、粒状漂白剤、粒状調味料等の粉粒物を収納する容器では、ノズルを有しボトルの口部に装着されるノズルキャップと、ノズルから注出される内容物を計量する計量筒部を有し、容器に着脱自在に装着される計量キャップとを有するものがある（例えば、特許文献１）。
【０００３】
上記の容器においては、計量キャップを容器から外し、容器本体を傾け、ノズルの注ぎ口から内容物を計量キャップ内に注入して計量し、使用後に計量キャップを勘合して容器を正立させると、計量キャップ内に残留した内容物は計量キャップの外壁面からノズル部材のノズル底部に垂れ落ち、傾斜したノズル底部を伝って貫通孔から容器内部に回収される。
【先行技術文献】
【特許文献】
【０００４】
【特許文献１】特許第５５３８１９３号公報
【発明の概要】
【発明が解決しようとする課題】
【０００５】
容器本体を傾けて内容物を計量キャップ内に注入して正確に計量する際には、内容物を整流した状態で注出することが好ましい。ところが、内容液を十分に整流するためにノズルを長くすると、容器の口部からのノズルの突出量が大きくなり、容器の全高が大きくなるという問題が生じる。
【０００６】
本発明は、以上のような点を考慮してなされたもので、容器の全高が大きくなることなく内容物を十分に整流して注出できるキャップを提供することを目的とする。
【課題を解決するための手段】
【０００７】
本発明の第１の態様に従えば、内容物を収納する容器本体の口部に着脱可能に装着されるキャップであって、前記口部に嵌合する筒状の内筒部と、前記内筒部の底部に設けられた底壁部と、前記底壁部から上方に突出し、前記内容物の注出を案内する案内面を有する樋状のノズルとを備え、前記底壁部は、前記ノズル内の前記案内面に囲まれた空間に開口する孔部と、前記ノズルとは逆方向に突出し前記案内面の少なくとも一部と面一の第２案内面を有する案内壁部とを有することを特徴とするキャップが提供される。
【０００８】
また、上記本発明の一態様に係るキャップにおいて、前記案内壁部は、前記口部の周方向における注出側に切欠部を有することを特徴とする。
【０００９】
また、上記本発明の一態様に係る容器において、前記案内壁部の前記逆方向側の端部は、前記内筒部の軸方向と直交する面と平行であることを特徴とする。
【００１０】
また、上記本発明の一態様に係る容器において、前記底壁部の上面には、最下部が前記孔部に接続する傾斜部が設けられていることを特徴とする。
【００１１】
また、上記本発明の一態様に係る容器において、前記内筒部は、前記口部と嵌合する嵌合部と、前記嵌合部よりも下方に位置し前記口部と隙間をあけて設けられた離間部とを有し、前記離間部には、前記内筒部を貫通する貫通孔が形成されていることを特徴とする。
【００１２】
また、上記本発明の一態様に係る容器において、前記案内壁部の平面視形状は、前記ノズルの平面視形状を含むことを特徴とする。
【００１３】
また、上記本発明の一態様に係る容器において、前記案内面および前記第２案内面には、前記ノズルの先端から前記案内壁部の先端に亘って延びる凸条が形成されていることを特徴とする。
【００１４】
また、上記本発明の一態様に係る容器において、前記凸条は、前記ノズルの幅方向の中心を挟んだ両側にそれぞれ形成されていることを特徴とする。
【発明の効果】
【００１５】
本発明のキャップでは、容器の全高が大きくなることなく内容物を十分に整流して注出することができる。
【図面の簡単な説明】
【００１６】
【図１】第１実施形態に係るキャップが装着された容器１の正立状態の頂部の縦断面図である。
【図２】ノズルキャップ６を上側から視た平面図である。
【図３】ノズルキャップ６の右側面図である。
【図４】ノズルキャップ６を下側から視た下面図である。
【図５】ノズルキャップ６を左下側から視た斜視図である。
【図６】ノズルキャップ６が装着された容器１を用いて、内容物を注出する動作を説明するための図である。
【図７】第２実施形態に係るノズルキャップ６を左下側から視た斜視図である。
【図８】第２実施形態に係るノズルキャップ６が装着された容器１を用いて、内容物を注出する動作を説明するための図である。
【図９】第３実施形態に係るノズルキャップ６を上側から視た平面図である。
【図１０】第３実施形態に係るノズルキャップ６を左下側から視た斜視図である。
【図１１】別形態に係るノズルキャップ６を上側から視た平面図である。
【図１２】別形態に係るノズルキャップ６を左下側から視た斜視図である。
【発明を実施するための形態】
【００１７】
以下、本発明のキャップの実施の形態を、図１ないし図１２を参照して説明する。
なお、以下の実施の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１８】
（第１実施形態）
図１は、第１実施形態に係るキャップ（以下、ノズルキャップと称する）６が装着された容器１の正立状態の頂部の縦断面図である。容器１は、内容物を収納する容器本体２と、容器本体２における頂部に位置する口部３の外側に着脱可能に装着される計量キャップ４と、口部３の内側に嵌合する中栓状のノズルキャップ６とを備えている。
【００１９】
容器本体２は、例えばポリエチレン等のオレフィン系合成樹脂を用いたブロー成形により一体形成されている。容器本体２は、内容物として、例えば、液体洗剤、液体漂白剤、液体柔軟剤、溶剤等の液状物や、粒状洗剤、粒状漂白剤、粒状調味料等の粉粒物を収納するための収納空間２ａを有している。容器本体２の口部３は、上下方向に延びる軸線Ｃを中心とする円筒状に形成されている。口部３は、収納空間２ａを上方に開放している。口部３の外周には、軸線Ｃ周りに雄ねじ部３ａが形成されている。
【００２０】
以下の説明では、軸線Ｃに沿った方向を軸線方向、軸線Ｃに直交する方向を径方向、軸線Ｃを中心とする軸周り方向を周方向と適宜称する。また、軸線方向における口部３の開放側を上方（上側）、口部３のボトル内方側を下方（下側）と適宜称する。また、軸線方向をＺ方向とし、図１中、左右方向をＸ方向とし、Ｚ方向およびＸ方向と直交する方向（図１中、紙面と直交する方向）をＹ方向として適宜説明する。
【００２１】
ノズルキャップ６は、例えば、ポリプロピレン等のオレフィン系合成樹脂を用いた射出成形により形成されている。ノズルキャップ６は、内筒部３１、フランジ部３２、底壁部３３、ノズル３４および案内壁部５５を有している。内筒部３１は、軸線Ｃを中心として延びており、口部３の内側に挿入されている。
【００２２】
図２は、ノズルキャップ６を上側から視た平面図であり、図３は右側面図である。図４は、ノズルキャップ６を下側から視た下面図である。図５は、ノズルキャップ６を左下側（−Ｘ側、且つ、−Ｚ側）から視た斜視図である。内筒部３１は、上側に位置し口部３の内周面と圧入状態で嵌合する嵌合部３１ａと、嵌合部３１ａよりも下方に位置し先細りとなるテーパ形状に形成されることにより口部３と隙間をあけて離間する離間部３１ｂとを有している。離間部３１ｂには、周方向における＋ＸでＸ軸と交差する位置で、Ｚ方向における底壁部３３近傍の位置に、内筒部３１を貫通する貫通孔５１が形成されている。フランジ部３２は、内筒部３１が口部３の内部に挿入されたときに口部３の上端に上側から係合する。
【００２３】
底壁部３３は、図１に示されるように、Ｘ軸方向に関して軸線Ｃと貫通孔５１との間に位置しＹ軸方向に延びる領域を最下部として、Ｘ軸方向の端部から最下部に向かうに従って漸次傾斜する傾斜部５２を有している。また、底壁部３３は、孔部３６を有している。孔部３６は、底壁部３３を貫通し、図２に示されるように、上側においてノズル３４に囲まれた空間に開口している。孔部３６は平面視略矩形状に形成されており、一部が＋Ｘ側に延び傾斜部５２の最下部に達している。
【００２４】
ノズル３４は、底壁部３３における傾斜部５２から上方に突出し、＋Ｘ側に開口する断面Ｕ字状をなして樋状に延びている。ノズル３４の内側には、収納空間２ａに収納された内容物（内容液）の注出を案内するための案内面５３が形成されている。案内面５３は、孔部３６の周囲を取り囲んで形成されている。ノズル３４の周方向中央（Ｘ軸との交差部）には、−Ｘ側に膨出する膨出部３５が形成されている。案内面５３の周方向中央（Ｘ軸との交差部）には、膨出部３５によって断面が凹状に湾曲する溝部が形成されている。
【００２５】
案内壁部５５は、底壁部３３から下方に突出して形成されている。案内壁部５５は、孔部３６の外形に沿って、且つ孔部３６の全周を取り囲むリブ状に突出している。案内壁部５５の下側先端部は、軸線Ｃと直交する面と平行に形成されている。従って、案内壁部５５を下側にして水平面に載置すると軸線Ｃは鉛直方向と平行となる。
【００２６】
案内壁部５５の内周面の中、−Ｘ側に位置する面、すなわち、ノズル３４の−Ｘ側を下側にして傾けたときに上側に向く面は、収納空間２ａに収納された内容物（内容液）の注出を案内するための第２案内面５６である。第２案内面５６は、ノズル３４の案内面５３と面一に形成されている。換言すると、第２案内面５６は、案内面５３の一部を下側に延長させた形状に形成されている。
【００２７】
計量キャップ４は、例えばポリプロピレン等のオレフィン系合成樹脂を用いた射出成形により形成されている。計量キャップ４は、上方からノズル３４を収容するように内筒部３１の内側に入り込む有蓋円筒状の計量部４１と、計量部４１の軸線方向中間部の径方向外側に離間して設けられる円筒状の外筒部４２と、外筒部４２の上方側の端部から径方向内側に延びて計量部４１の外周面に接続されるフランジ部４３とを有している。
【００２８】
計量キャップ４は、計量部４１の開口部を上方に向けた状態で注入した洗剤等の内容物と、計量部４１の外周面あるいは内周面に刻印又は印字等により記された計量目盛（図示せず）との相対位置を視認可能である。
【００２９】
上記構成のノズルキャップ６が装着された容器１を用いて、内容物を注出する動作について説明する。
図６に示されるように、計量キャップ４を口部３から離脱させた容器１を、周方向について膨出部３５が下側に位置した状態でノズル３４の先端が下方に向くように傾けることにより、容器本体２の収納空間２ａに収納されていた内容物Ｓがノズルキャップ６の近傍に移動する。そして、内容物Ｓの液位が案内壁部５５の先端面における最も低い位置よりも高くなると、内容物Ｓは、案内壁部５５を乗り越えて第２案内面５６に流入する。
【００３０】
なお、口部３から計量キャップ４が離脱されている場合でも、内筒部３１の嵌合部３１ａが口部３の内周面に圧入されているため、容器１を傾けた状態でもノズルキャップ６が口部３から離脱することが阻止される。
【００３１】
第２案内面５６に流入した内容物Ｓは、下方に傾斜している第２案内面５６および案内面５３に順次案内され、孔部３６を介して流動して整流されノズル３４の先端から、例えば、計量キャップ４内に注出される。第２案内面５６および案内面５３を流動する内容物Ｓは、第２案内面５６および案内面５３が面一であることから整流状態が乱れることなく円滑に案内されて注出される。
【００３２】
内容物Ｓの注出が完了して容器１を直立させた際には、ノズル３４に残留していた内容物Ｓの一部や計量キャップ４に残留していた内容物Ｓの一部が底壁部３３の傾斜部５２に沿って最下部に流動し、孔部３６を介して収納空間２ａに回収される。
【００３３】
以上のように、本実施形態のノズルキャップ６では、収納空間２ａの内容物Ｓがノズル３４の案内面５３に加えて、底壁部３３から容器本体２の収納空間２ａ側に突出する案内壁部５５の第２案内面５６にも案内されて整流されるため、ノズル３４を長くすることなく十分に整流された状態で安定して内容物Ｓを注出することが可能になる。そのため、本実施形態のノズルキャップ６を用いることにより、容器１の全高が大きくなることを防止しつつ、高精度に内容物Ｓを計量することが可能になる。加えて、本実施形態のノズルキャップ６では、例えば、内容物Ｓを詰め替えのためにノズル３４から収納空間２ａに導入する場合、案内面５３から第２案内面５６に内容物Ｓが接触しながら落下するため、第２案内面５６が形成されない場合と比較して誘導効果により内容物Ｓの詰め替え時間を短縮することができる。
【００３４】
また、本実施形態のノズルキャップ６では、案内壁部５５の先端部が軸線Ｃと直交する面と平行であるため、案内壁部５５の先端部を下側にして水平面に沿ってノズルキャップ６を載置した際に、軸線Ｃを鉛直方向と平行とすることができる。そのため、例えば、容器１の製造工程において、水平方向に離間・接近する一対のロボットアームを用いてノズルキャップ６の内筒部３１を把持する際に、内筒部３１の外周面が鉛直方向に沿って延在することから当該外周面を容易に把持することができる。
【００３５】
また、本実施形態のノズルキャップ６では、案内壁部５５が内筒部３１の外周よりも内側に離間して形成されており、また、孔部３６の周囲を全周に亘って囲んで形成されているため、ノズルキャップ６を落下させた場合でも直接床等に接触しづらくなり、案内壁部５５の損傷を抑制することができる。
【００３６】
さらに、容器１を傾けた際に孔部３６が内容物Ｓによって閉塞されると、内容物Ｓの注出に伴って収納空間２ａが負圧になり、注出速度が低下してしまう可能性があるが、本実施形態のノズルキャップ６では、内筒部３１の離間部３１ｂにおける注出時に上側となる位置に貫通孔５１が形成されているため、収納空間２ａと外部との間の空気流路を確保することができる。そのため、本実施形態のノズルキャップ６では、収納空間２ａが負圧になることに起因して生じる注出速度の低下を回避することが可能になる。
【００３７】
（第２実施形態）
次に、ノズルキャップ６の第２実施形態について、図７および図８を参照して説明する。これらの図において、図１乃至図６に示す第１実施形態の構成要素と同一の要素については同一符号を付し、その説明を省略する。
【００３８】
図７は、ノズルキャップ６を左下側（−Ｘ側、且つ、−Ｚ側）から視た斜視図である。
図７に示されるように、本実施形態のノズルキャップ６は、案内壁部５５における周方向について、内容物Ｓの注出側の位置に局所的に切欠部５７が設けられている。他の構成は、上記第１実施形態と同様である。
【００３９】
本実施形態のノズルキャップ６が装着された容器１を用いて内容物を注出する際には、図８に二点鎖線で示されるように、容器１を傾けると、内容物Ｓの液位が切欠部５７に達して切欠部５７から内容物Ｓが第２案内面５６に流入した後に、内容物Ｓの液位が案内壁部５５の先端面における最も低い位置よりも高くなると、内容物Ｓが案内壁部５５を乗り越えて第２案内面５６に時間差をもって流入する。切欠部５７は局所的に設けられているため、切欠部５７から第２案内面５６に流入する内容物Ｓの量は、案内壁部５５を乗り越えて第２案内面５６に流入する内容物Ｓの量よりも少ない。その結果、ノズル３４の先端からは、最初に少ない量の内容物Ｓが注出された後に、時間差をあけて多くの量の内容物Ｓが注出されることになる。
【００４０】
使用者が容器１を傾けたときに、内容物Ｓを視認するまでの時間が長いと、傾ける角度を大きくしてしまい大量の内容物Ｓが一気に注出されることになりかねないが、本実施形態のノズルキャップ６が装着された容器１を用いた場合には、容器１を傾けたときに、最初に少ない量の内容物Ｓが注出されて視認できるため、その後に容器１を傾ける角度を必要以上に大きくしてしまうことを回避できる。従って、本実施形態のノズルキャップ６では、必要以上の量の内容物Ｓを注出してしまい、計量精度が低下することを回避できる。
【００４１】
（第３実施形態）
次に、ノズルキャップ６の第３実施形態について、図９および図１０を参照して説明する。これらの図において、図１乃至図６に示す第１実施形態の構成要素と同一の要素については同一符号を付し、その説明を省略する。
【００４２】
図９は、第３実施形態に係るノズルキャップ６を上側から視た平面図である。図１０は、第３実施形態に係るノズルキャップ６を左下側（−Ｘ側、且つ、−Ｚ側）から視た斜視図である。本実施形態のノズルキャップ６における孔部３６は、ノズル３４の案内面５３の外形と、案内面５３の周方向一端と周方向他端とを結ぶ直線とで囲まれた範囲に形成されている。
【００４３】
また、案内壁部５５は、上記の孔部３６の外形に沿って、且つ孔部３６の全周を取り囲むリブ状に突出している。すなわち、本実施形態におけるノズルキャップ６においては、案内壁部５５の平面視形状は、ノズル３４の平面視形状を含んでいる。
【００４４】
例えば、容器１の製造工程において、ノズル３４の外形形状よりも小さい外形形状の案内壁部５５を有する複数のノズルキャップ６を混在した状態でストックすると、案内壁部５５がノズル３４に入り込んでしまうスタッキングが生じる可能性がある。上記構成のノズルキャップ６においては、案内壁部５５の平面視形状がノズル３４の平面視形状を含んでいることから、複数のノズルキャップ６を混在した状態でストックした際にもスタッキングの発生を抑制することが可能になる。
【００４５】
なお、ノズルキャップ６のスタッキング対策としては、図９および図１０に示した上記構成の他に、図１１および図１２に示されるように、案内面５３および第２案内面５６に、ノズル３４の先端から案内壁部５５の先端に亘って延びる凸条５８が形成されている構成を採ることも可能である。案内面５３および第２案内面５６に凸条５８が形成されていることにより、ノズル３４と案内壁部５５との一方が他方に入り込んでスタッキングが生じることをより確実に抑制することができる。
【００４６】
凸条５８としては、ノズル３４の幅方向の中心を挟んだ両側にそれぞれ形成されている構成が好適である。この構成を採ることにより、凸条５８の間の空間に内容物Ｓを流動させて案内することができる。そのため、内容物Ｓに対する整流性をより向上させることが期待できる。
【００４７】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４８】
例えば、上記実施形態では、ノズル３４および案内面５３が断面Ｕ字状である構成を例示したが、これに限定されるものではなく、断面Ｖ字状や断面コ字状（凹字状）であってもよい。
【符号の説明】
【００４９】
１…計量キャップ付き容器（容器）、  ２…容器本体、  ３…口部、  ４…計量キャップ、  ６…キャップ（ノズルキャップ）、  ３１…内筒部、  ３１ａ…嵌合部、  ３１ｂ…離間部、  ３３…底壁部、  ３４…ノズル、  ３６…孔部、  ５１…貫通孔、  ５２…傾斜部、  ５３…案内面、  ５５…案内壁部、  ５６…第２案内面、  ５７…切欠部、  Ｓ…内容物
【図１】
0006675251.tif 000002
【図２】
0006675251.tif 000003
【図３】
0006675251.tif 000004
【図４】
0006675251.tif 000005
【図５】
0006675251.tif 000006
【図６】
0006675251.tif 000007
【図７】
0006675251.tif 000008
【図８】
0006675251.tif 000009
【図９】
0006675251.tif 000010
【図１０】
0006675251.tif 000011
【図１１】
0006675251.tif 000012
【図１２】
0006675251.tif 000013